(57)【要約】【課題】この発明は、カメラによるドキュメントの撮影作業がより容易化されるように照明に改良を施し、ユーザにとっての取り扱いを便利にして実用に適するようにしたカメラ照明付きスタンドを提供することを目的としている。【解決手段】基台１２と、基台１２から延設されたフレキシブルなアーム１４と、アーム１４の先端部に取着され、所定面にカメラ１６が設けられたカメラ搭載部１５と、カメラ搭載部１５のカメラ１６が設けられている面１５ａと同じ面に設けられ、ほぼ四角形状の光照射領域を形成する照明装置１７とを備える。【選択図】      図１
2007101663.tif 000002
【特許請求の範囲】
【請求項１】
基台と、
前記基台から延設されたアームと、
前記アームの先端部に取着され、所定面にカメラが設けられたカメラ搭載部と、
前記カメラ搭載部の前記カメラが設けられている面と同じ面に設けられ、ほぼ四角形状の光照射領域を形成する照明装置とを具備することを特徴とするカメラ照明付きスタンド。
【請求項２】
前記照明装置は、
光源と、
前記光源からの照射光を一端から取り込み、他端に形成されたほぼ四角形状の光出射口から出射させる筒状の照明フードとを備えることを特徴とする請求項１記載のカメラ照明付きスタンド。
【請求項３】
前記照明フードは、軸心方向に移動されて、前記光出射口から出射される光の照射角を可変可能であることを特徴とする請求項２記載のカメラ照明付きスタンド。
【請求項４】
前記カメラと該カメラが撮影するドキュメントとの間の距離を測定する測定手段と、
前記測定手段の測定結果に基づいて前記照明フードの位置を自動的に可変する駆動手段とを備えることを特徴とする請求項３記載のカメラ照明付きスタンド。
【請求項５】
前記駆動手段は、前記測定手段の測定結果に基づいて、前記ドキュメントを照らす光照射領域の大きさが一定になるように、前記照明フードの位置を自動的に可変することを特徴とする請求項４記載のカメラ照明付きスタンド。
【請求項６】
前記照明フードの位置を可変する操作手段を備えることを特徴とする請求項３記載のカメラ照明付きスタンド。
【請求項７】
基台と、前記基台から延設されたアームと、前記アームの先端部に取着され、所定面にカメラが設けられたカメラ搭載部と、前記カメラ搭載部の前記カメラが設けられている面と同じ面に設けられ、ほぼ四角形状の光照射領域を形成する照明装置とを有するスタンドと、
前記カメラから得られる映像信号に基づいて映像をスクリーンに投影表示する投射装置とを具備することを特徴とする映像表示装置。
【発明の詳細な説明】
【技術分野】
【０００１】
この発明は、ドキュメントを照らす照明装置とドキュメントを撮影するカメラとを備えたカメラ照明付きスタンドに係り、特にプロジェクタ等の投射装置に接続されてカメラから得られる映像情報を投影表示させるものに関する。
【背景技術】
【０００２】
周知のように、首記の如きカメラ照明付きスタンドは、ドキュメントに対してカメラを遠ざけたり接近させたりして、ドキュメント全体の撮影やドキュメントの特定部分の拡大撮影等を行なうことができる。これに対し、現在の照明装置は、一定の照射角でドキュメントを円形に照らしているだけであるため、カメラによりドキュメントを撮影する作業をより容易化するための改良が強く望まれている。
【０００３】
特許文献１には、撮影距離に応じてストロボの照射角を制御するようにしたカメラの構造が開示されている。また、特許文献２には、撮影レンズの近傍に被写体を照らすための照明部を設けたプロジェクタの構造が開示されている。しかしながら、これらの特許文献１，２には、いずれも、カメラによる撮影作業が容易化されるように、照明に工夫を施すことについては何らの記載もなされていないものである。
【特許文献１】特開平６−５１３７７号公報
【特許文献２】特開２００３−１５２１６公報
【発明の開示】
【発明が解決しようとする課題】
【０００４】
そこで、この発明は上記事情を考慮してなされたもので、カメラによるドキュメントの撮影作業がより容易化されるように照明に改良を施し、ユーザにとっての取り扱いを便利にして実用に適するようにしたカメラ照明付きスタンドを提供することを目的とする。
【課題を解決するための手段】
【０００５】
この発明に係るカメラ照明付きスタンドは、基台と、基台から延設されたアームと、アームの先端部に取着され、所定面にカメラが設けられたカメラ搭載部と、カメラ搭載部のカメラが設けられている面と同じ面に設けられ、ほぼ四角形状の光照射領域を形成する照明装置とを備えるようにしたものである。
【発明の効果】
【０００６】
上記した発明によれば、カメラ搭載部のカメラが設けられている面と同じ面に、ほぼ四角形状の光照射領域を形成する照明装置とを備えるようにしたので、カメラによるドキュメントの撮影作業がより容易化され、ユーザにとっての取り扱いを便利にして実用に適するようになる。
【発明を実施するための最良の形態】
【０００７】
以下、この発明の実施の形態について図面を参照して詳細に説明する。図１は、この実施の形態で説明する映像投影表示システムの概略を示している。図１において、符号１１はスタンドである。このスタンド１１は、基台１２と、この基台１２に設けられたアーム支持部１３と、このアーム支持部１３から延出されるフレキシブルなアーム１４と、このアーム１４の先端部に取着されたカメラ搭載部１５とから構成されている。
【０００８】
このスタンド１１のカメラ搭載部１５には、カメラ１６と照明装置１７とが設置されており、図示しないドキュメントを照明装置１７で照らし、カメラ１６で撮影することができる。そして、上記カメラ１６でドキュメントを撮影して得られた映像信号は、ケーブル１８を介してプロジェクタ１９に供給されて、スクリーン２０に拡大投影される。
【０００９】
図２は、上記カメラ搭載部１５を、ドキュメントに対向させる面１５ａ側から見た外観を示している。すなわち、カメラ搭載部１５のドキュメントに対向させる面１５ａには、上記カメラ１６と、上記照明装置１７と、ドキュメントとの間の距離を測定する測距センサ２１とが併設されている。
【００１０】
図３は、上記カメラ搭載部１５内におけるカメラ１６、照明装置１７及び測距センサ２１の取り付け構造を示している。すなわち、上記カメラ１６及び測距センサ２１は、共に回路基板２２に取り付けられている。そして、カメラレンズ１６ａ及び測定用光の照射受光部２１ａが、ドキュメントに向くように露出されている。
【００１１】
また、上記照明装置１７では、光源となるＬＥＤ（light emitting diode）１７ａが回路基板２３に取り付けられている。そして、このＬＥＤ１７ａからの照射光は、ほぼ筒状に形成された照明フード１７ｂを通って、ドキュメントに照射されるようになっている。
【００１２】
この照明フード１７ｂは、その光出射口１７ｃが、図２に示すように、ほぼ四角形状に形成されている。このため、照明フード１７ｂを介して照射される光は、ほぼ四角形状の領域を照らすものとなる。
【００１３】
また、上記照明フード１７ｂは、軸心方向にスライド自在となるようにカメラ搭載部１５に支持されている。そして、この照明フード１７ｂは、後述するモータ２７の回転力が伝達される駆動機構１７ｄにより、軸心方向に位置制御可能になっている。
【００１４】
つまり、この照明フード１７ｂは、カメラ搭載部１５の外側から見て伸縮されるようになっている。これにより、照明フード１７ｂから出射される光の照射角が可変され、ほぼ四角形状の光の照射領域を拡大したり縮小したりすることが可能となる。
【００１５】
図４は、上記測距センサ２１の出力に応じて照明フード１７ｂの位置を制御するための制御系を示している。すなわち、測距センサ２１の出力は、距離測定部２４に供給されて測距センサ２１とドキュメントとの間の距離に対応した距離情報が生成される。この距離測定部２４で生成された距離情報は、光照射領域制御部２５に供給される。
【００１６】
この光照射領域制御部２５は、ユーザによって設定部２６に設定されたドキュメントの大きさ（例えばＡ４等）に対応した情報が供給されている。そして、光照射領域制御部２５は、距離測定部２４から得られた距離において、設定部２６に設定された大きさの光照射領域を確保するための照明フード１７ｂの位置を計算し、その位置に照明フード１７ｂを移動させるように上記モータ２７を回転駆動させる。
【００１７】
上記のような制御を行なうことにより、図５に示すように、カメラ１６とドキュメントとの間の距離が変わっても、光照射領域をユーザの設定した大きさに自動的に保つことが可能となる。
【００１８】
上記した実施の形態によれば、まず、照明装置１７から出射される光の照射領域がほぼ四角形状となるようにしたので、プロジェクタを使用している暗い室内等において、ドキュメントを置く位置と向きをユーザが容易に認識することが可能となり、カメラ１６によるドキュメントの撮影作業をより容易化することができるようになる。
【００１９】
また、カメラ１６とドキュメントとの間の距離を変えても、光照射領域をユーザの設定した大きさに自動的に保つことができるようにしたので、ドキュメント全体の撮影やドキュメントの特定部分の拡大撮影等を行なう際に、カメラ１６を容易に移動させることが可能となり、ユーザにとっての取り扱いを便利にすることができる。
【００２０】
なお、光照射領域は、上記したように設定した大きさに自動調整させるだけでなく、ユーザが手動で調整することも可能である。例えば、図６に示すように、光照射領域をＡ４以外の大きさに変更したい場合、単にカメラ搭載部１５を上下させただけでは必要な大きさにならないとき、照明フード１７ｂの伸縮も併用することで、必要な大きさの光照射領域を得ることが可能となる。
【００２１】
これにより、例えば、複数枚のドキュメントを交換しながら表示させる際、ドキュメントにサイズの異なるものがあったり、または、ドキュメント内の特定の範囲を拡大して表示させたりする場合に、カメラ１６の焦点に合わせて光照射領域を手動で変更することができ、ユーザにとっての取り扱いを便利にすることができる。
【００２２】
この光照射領域を手動で変更する手段としては、例えば基台１２に切り替えスイッチを設置し、この切り替えスイッチを一方の切り替え状態に操作したとき前記モータ２７を正方向に回転させ、切り替えスイッチを他方の切り替え状態に操作したとき前記モータ２７を逆方向に回転させる構成が考えられる。
【００２３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００２４】
【図１】この発明の実施の形態を示すもので、映像投影表示システムの概略を説明するために示す図。
【図２】同実施の形態におけるスタンドのカメラ搭載部の外観を説明するために示す斜視図。
【図３】同実施の形態におけるスタンドのカメラ搭載部の詳細な構造を説明するために示す側面図。
【図４】同実施の形態におけるスタンドの制御系を説明するために示すブロック構成図。
【図５】同実施の形態におけるスタンドの使用状況の一例を説明するために示す側面図。
【図６】同実施の形態におけるスタンドの使用状況の他の例を説明するために示す側面図。
【符号の説明】
【００２５】
１１…スタンド、１２…基台、１３…アーム支持部、１４…アーム、１５…カメラ搭載部、１６…カメラ、１７…照明装置、１８…ケーブル、１９…プロジェクタ、２０…スクリーン、２１…測距センサ、２２，２３…回路基板、２４…距離測定部、２５…光照射領域制御部、２６…設定部、２７…モータ。
【図１】
2007101663.tif 000003
【図２】
2007101663.tif 000004
【図３】
2007101663.tif 000005
【図４】
2007101663.tif 000006
【図５】
2007101663.tif 000007
【図６】
2007101663.tif 000008